(57)【要約】  ブランケット胴（８）に固定するためのブランケット（１）と、当該ブランケットを製造するための方法と、印刷装置とが記載されている。当該ブランケット（１）は少なくとも、内部支持層（４）と、織布層（６）として形成されている第一中間層と、外部被覆層（７）とを有しており、前記織布層（６）は経糸（２）と緯糸（３）を含んでいる。前記ブランケット（１）は、前記ブランケット胴に、前記経糸（２）が前記ブランケット胴（８）の軸方向に延伸するとともに前記緯糸（３）が前記ブランケット胴（８）の周方向に延伸するように固定可能とされている。
2012512060.tif 000002
【特許請求の範囲】
【請求項１】
ブランケット胴（８）に固定するためのブランケット（１）であって、当該ブランケットは少なくとも内部支持層（４）と、織布層（６）として形成されている第一中間層と、外部被覆層（７）とを有しており、前記織布層（６）は経糸（２）と緯糸（３）を含んでおり、ブランケット（１）はスリーブ状のブランケットとして形成されており、当該ブランケット（１）は、前記ブランケット胴（８）に、前記経糸（２）が前記ブランケット胴（８）の軸方向（Ａ）に延伸するとともに前記緯糸（３）が前記ブランケット胴（８）の周方向に延伸するように固定可能であり、前記ブランケット（１）は径方向に伸長可能に形成されており、それによってまず、前記ブランケット（１）をスライドさせて前記ブランケット胴（８）に設けるにあたり、前記ブランケット（１）は径方向の伸長によって拡張され得、その後、当該径方向の伸長が減少することによって、前記ブランケット胴（８）に収縮締結され得る、ブランケット。
【請求項２】
前記織布層（６）の伸展は、前記緯糸（３）の方向よりも前記経糸（２）の方向においてより大きく、特に前記ブランケット（１）の伸展は、前記経糸（２）の方向において、２．５ｍよりも大きいことを特徴とする請求項１に記載のブランケット。
【請求項３】
前記支持層（４）は金属層またはプラスチック層または織布層として形成されていることを特徴とする請求項１または２に記載のブランケット。
【請求項４】
前記支持層と前記織布層（６）との間に、圧縮性層（５）として形成されている第二中間層が設けられていることを特徴とする請求項１から３のいずれか一項に記載のブランケット。
【請求項５】
ウェブ印刷機のための印刷装置であり、当該印刷装置は少なくとも、
−  少なくとも９６の印刷紙面（１０）を有する印刷プレートを具備する版胴（１６）と、
−  ブランケット（１）を具備するブランケット胴（８）であって、当該ブランケットは少なくとも内部支持層（４）と、織布層（６）として形成されている第一中間層と、外部被覆層（７）とを有しており、前記織布層（６）は経糸（２）と緯糸（３）を含んでいる、ブランケット胴と、を有しており、
ブランケット（１）はスリーブ状のブランケットとして形成されており、
前記ブランケットは、前記ブランケット胴（８）に、前記経糸（２）が前記ブランケット胴（８）の軸方向（Ａ）に延伸するとともに前記緯糸（３）が前記ブランケット胴（８）の周方向に延伸するように固定可能であり、前記ブランケット（１）は、径方向に伸長可能に形成されており、それによってまず、前記ブランケット（１）をスライドさせて前記ブランケット胴（８）に設けるにあたり、前記ブランケット（１）は径方向の伸長によって拡張され得、その後、当該径方向の伸長が減少することによって、前記ブランケット胴（８）に収縮締結され得る、印刷装置。
【請求項６】
ブランケット胴（８）に固定するために形成されているブランケット（１）を製造するための方法であって、当該ブランケットは少なくとも
内部支持層（４）と、
織布層（６）として形成されている第一中間層と、
外部被覆層（７）とを有しており、
前記織布層（６）は経糸（２）と緯糸（３）を含んでいる、方法において、
ブランケット用ウェブ状材料（１２）から、ブランケット（１）として想定されたブランケット切断部分（１ａ）が、前記ブランケット用ウェブ状材料（１２）の横断方向（１５）よりも、前記ブランケット用ウェブ状材料（１２）の長手方向（１４）において、前記ブランケット切断部分（１ａ）の伸展がより大きくなるように取り出されることを特徴とする方法。
【発明の詳細な説明】
【技術分野】
【０００１】
本発明は径方向に伸長可能なスリーブ状のブランケットと、ブランケットを製造するための方法とに関する。当該ブランケットは少なくとも内部支持層と、織布層として形成された中間層と、外部被覆層とを有している。
【背景技術】
【０００２】
ブランケットは従来技術から、十分に知られている。ブランケットに関しては例えば、以下の特許文献１、特許文献２、特許文献３、特許文献４、特許文献５、特許文献６、特許文献７が指摘される。
【０００３】
特許文献８は、本発明とは異なる種類のブランケットを記載している。すなわち、平坦な金属プレートとしての非伸長性のベース層を具備する、画線部転写用の平坦なゴムブランケットである。当該平坦な金属プレートの端部はブランケット胴の張り溝内に固定され得る。このようなブランケットは伸長性を有さないために、径方向に伸長可能なスリーブ状のブランケットとは明らかに異なる材料特性を備えているとともに、明らかに異なる空間幾何学的構造を有している。特許文献８の第４欄には、非伸長性の金属製ベース層に通常の織布製ブランケットを取り付けることは、このようにして得られるブランケットが極めて扱いにくく、かつ、張設が困難であるという理由から、実用的ではないとの記載がある。
【０００４】
織布層の製造は以下のように行われる。通常は互いに平行に設けられた経糸が、製造すべき織布製のウェブ状材料の長手方向に張設されるか、あるいはその他の方法で好適に準備され、その後、通常は経糸の少なくとも一部を交互に空間的にずらしたうえで、織布製のウェブ状材料に対して通常は垂直な方向において、緯糸が経糸の間に通され、それによって布が織られる。従って通常このような織布層の配向は、自動的に、経糸がウェブ状材料の長手方向に設けられ、緯糸がウェブ状材料を横断する方向に設けられるように実施されている。このとき、経糸と緯糸は異なる材料特性を有している。すなわち経糸は、織物の比較的大きな機械的負荷を受けることが想定されるために、通常は好適に補強されており、それによって、このような比較的大きな機械的負荷を受容可能となっている。つまり、織布は材料特性に関して不均一であり、経糸の方向において、緯糸の方向とは異なる材料特性を有している。
【０００５】
織布層を含んでいるブランケット用ウェブ状材料にも、同じことが該当する。ブランケット用ウェブ状材料は通常、ブランケットを装着すべきブランケット胴が軸方向において、ブランケットの伸展に対して必要とする、所望の伸展をすでに有している。従って従来、ブランケット用ウェブ状材料の部分の切断は、ウェブ状材料の長手方向における当該部分の長さが、装着すべきブランケット胴の周長に相当するように行われ、それによって、ブランケット胴上では自動的に、ブランケットの織布層の経糸がブランケット胴の周方向に設けられている。図１，２および８にはこの点が示されている。
【０００６】
しかしながら驚くべきことに、ブランケットのこのような配置は、印刷機におけるウェブ紙のウェブ搬送に関して、依然としていくらかの不利点を有しており、かつ、ブランケットの見当の適合性も最適化されていないことが判明した。
【先行技術文献】
【特許文献】
【０００７】
【特許文献１】米国特許第３６５２３７６号明細書
【特許文献２】米国特許第３７００５４１号明細書
【特許文献３】米国特許第４０４２７４３号明細書
【特許文献４】米国特許第４７７０９２８号明細書
【特許文献５】英国特許第２０１６３７３号明細書
【特許文献６】欧州特許第０４５２１８４号明細書
【特許文献７】米国特許第６３８６１００号明細書
【特許文献８】欧州特許第１２６８２１８号明細書
【発明の概要】
【発明が解決しようとする課題】
【０００８】
従って本発明の課題は、上記の不利点を解消することである。この課題は独立請求項１，５および６に記載の特徴によって解決される。
【課題を解決するための手段】
【０００９】
本発明の第一の対象は、ブランケット胴に固定するためのブランケットであって、当該ブランケットは少なくとも内部支持層と、織布層として形成された第一中間層と、外部被覆層とを有しており、当該織布層は経糸と緯糸を含んでいる。本発明により、ブランケットは、ブランケット胴に、経糸が当該ブランケット胴の軸方向に延伸するとともに緯糸が当該ブランケット胴の周方向に延伸するように固定可能である。前記ブランケットは、スリーブ状のブランケットとして形成されており、当該スリーブ状のブランケットはシリンダの形で、スライドさせてブランケット胴に設けることができる。このために、前記ブランケットは径方向に伸長可能に形成されており、それによって、当該ブランケットをスライドさせてブランケット胴に設けるにあたり、当該ブランケットは径方向の伸長によって拡張され得、その後、当該径方向の伸長が減少することによって、ブランケット胴に収縮締結され得る。
【００１０】
上記のように通常と異なるものの、本発明の認識によれば有利な配置、すなわち、経糸がブランケット胴の軸方向に設けられるとともに緯糸が周方向に設けられる構成によって、ウェブの搬送と見当の適合性に関して最適化されたブランケットの特性が実現される。すでに述べた通り、経糸は、織布の比較的大きな機械的負荷を受けることが想定されるために、通常は好適に補強されており、それによって、このような比較的大きな機械的負荷を受容可能となっている。逆に言えば、比較的小さな機械的安定性を有する緯糸を胴の周方向に配置することは、スリーブ状のブランケットの径方向の伸長性を助長する。このような織布が、当該織布の材料特性に関して不均一であること、すなわち、経糸の方向において、緯糸の方向とは異なる材料特性を有しているという事実は、本発明においてまさに、径方向に伸長可能なスリーブ状のブランケットを実現するために好適に利用されている。
【００１１】
上記の構成において特に、織布層もしくはブランケット全体の伸展が、緯糸の方向よりも経糸の方向において、より大きくなっている。このようなブランケットは特に、好適に経糸の方向において、２．５ｍよりも大きな伸展を有している。この点も、まさに経糸の機械的安定性が高められていることによって可能となる。
【００１２】
さらに、支持層は金属層またはプラスチック層または織布層として形成されているか、あるいは、これらの材料層の組み合わせとして形成されていてよい。支持層は特に、当該支持層が、ブランケットをブランケット胴に安定的に取り付けることを可能にするように形成されているが、付加的に、支持し、かつ、安定化し、かつ、特に版を安定化する作用を有している。当該作用は例えば金属支持層またはプラスチック支持層において、材料の剛性に基づいて得られる。
【００１３】
さらに、支持層と前記の織布層との間に、圧縮性層として形成された第二中間層が設けられていてよい。
【００１４】
本発明のさらなる対象は、ウェブ印刷機のための印刷装置であり、当該印刷装置は少なくとも、
−少なくとも９６の印刷紙面を有する印刷プレートを具備する版胴と、
−ブランケットを具備するブランケット胴であって、少なくとも内部支持層と、織布層として形成されている第一中間層と、外部被覆層とを有しており、前記織布層は経糸と緯糸を含んでいるブランケット胴と、を有しており、
前記ブランケットは、ブランケット胴に、経糸が当該ブランケット胴の軸方向に延伸するとともに緯糸が当該ブランケット胴の周方向に延伸するように固定可能である。前記ブランケットは、スリーブ状のブランケットとして形成されており、当該スリーブ状のブランケットはシリンダの形で、スライドさせてブランケット胴に設けることができる。このために、前記ブランケットは径方向に伸長可能に形成されており、それによって、当該ブランケットをスライドさせてブランケット胴に設けるにあたり、当該ブランケットは径方向の伸長によって拡張され得、その後、当該径方向の伸長が減少することによって、ブランケット胴に収縮締結され得る。
【００１５】
前記ブランケットには、本発明に係る印刷装置において、本発明に係る上述のブランケットと同様に、さらなる形成がなされてよい。すなわち、前記ブランケットの上記の特徴を単独で、または組み合わせて有し得る。
【００１６】
本発明のさらなる対象は、ブランケットを製造するための方法であり、当該ブランケットはブランケット胴に固定するために形成されており、少なくとも
内部支持層と、
織布層として形成されている第一中間層と、
外部被覆層とを有しており、
前記織布層は経糸と緯糸を含んでいる、方法において、
ブランケット用ウェブ状材料から、ブランケット切断部分が、前記ブランケット用ウェブ状材料の横断方向よりも、前記ブランケット用ウェブ状材料の長手方向において、前記ブランケット切断部分の伸展がより大きくなるように取り出されることを特徴とする方法である。
【００１７】
以下において本発明の実施の形態を図１から８に基づいて説明する。図に示すのは以下の通りである。
【図面の簡単な説明】
【００１８】
【図１】従来技術によるブランケットの配置を示す図である。
【図２】図１の部分を拡大して示す図である。
【図３】本発明に係るブランケットの配置を示す図である。
【図４】図３の部分を拡大して示す図である。
【図５】ブランケット胴における、本発明に係るブランケットの配置を示す図である。
【図６】図５の部分を拡大して示す図である。
【図７】９６の印刷紙面を有する印刷プレートの部分を概略的に示す図である。
【図８】ブランケット用ウェブ状材料を概略的に示す図である。
【発明を実施するための形態】
【００１９】
図１および２は従来技術によるブランケット１１を示しており、当該ブランケットは、ブランケット胴８に固定するために形成されている。当該ブランケット１１は、内部支持層４と、織布層６として形成されている第一中間層と、外部被覆層７とを有しており、前記織布層６は経糸２と緯糸３を含んでいる。当該ブランケット１１は、従来技術によれば、ブランケット胴８に（例えば図５に示されているように）、経糸２が当該ブランケット胴８の周方向に延伸するとともに緯糸３が当該ブランケット胴８の軸方向に延伸するように固定可能である。
【００２０】
これに対して図３および４は、本発明に係るブランケット１を示している。当該ブランケットもまた、ブランケット胴８に固定するために形成されている。図５および６は当該ブランケットが、本発明に応じてブランケット胴８に固定されている状態を示している。当該ブランケットもまた、内部支持層４と、織布層６として形成されている第一中間層と、外部被覆層７とを有しており、前記織布層６は経糸２と緯糸３を含んでいる。しかしながら図３および４によれば、ブランケットは、図５に示すブランケット胴８に、経糸２が当該ブランケット胴８の軸方向Ａに延伸するとともに緯糸３が当該ブランケット胴８の周方向に延伸するように固定可能である。図５は分かりやすくするために、緯糸３のみを断面において示しており、図６に示す部分拡大図においても同様である。しかしながら実際の断面は、図４に示すように、経糸２の間に緯糸３が織り込まれるように形成されている。図４はこのように、ブランケット胴８上のブランケット１の断面の細部を最も明瞭に示している。すなわち、図４は図５および６に対して、さらに拡大された断面を示すものである。
【００２１】
織布層６の伸展は、経糸２の方向よりも緯糸３の方向において、より大きい。支持層４は金属層、例えばいわゆるスリーブ状のブランケットにおける金属製の後ろ板として、あるいは、スリーブ状のブランケットとして形成されているが、支持層４はまた、プラスチック層、あるいは類似の、剛性を有し、かつ、好適に非圧縮性の層として形成されていてよい。代替的に支持層４は、特別に補強された、例えば形状安定化された織布として形成されていてもよい。ブランケット１はスリーブ状、かつ、円筒形のブランケットとして形成されている。
【００２２】
支持層４と織布層６の間に、好適に圧縮性層５として形成された第二中間層が設けられていてよい。図に示されている層よりもさらに多くの層が設けられていてもよく、特に支持層４と被覆層７の間により多くの圧縮性層と織布層が設けられ得る。このように例えば中間層５および６の配列がもう一度あるいはそれ以上繰り返され得る。
【００２３】
本発明に係るウェブ印刷機のための印刷装置は、印刷プレート９を具備する版胴１６を有している。当該印刷プレートは少なくとも９６の印刷紙面１０を担持する。これは図７に部分図として示されている。当該図において印刷プレート９はまだ、当該印刷プレートが依然として版胴１６に固定的に張設されていない状態で示されている。このとき好適に単独の印刷プレートが設けられていてよく、当該単独の印刷プレートは少なくとも９６の全ての印刷紙面を担持している。代替的に複数の印刷プレート１０が版胴１６に設けられていてもよい。当該複数の印刷プレートは全体で９６の紙面を担持している。しかしながら、コストが最小化される理由から、単独の印刷プレートが好ましい。
【００２４】
本発明に係る印刷装置にはさらに、図５に示す、ブランケット１を備えるブランケット胴８が属している。当該ブランケットは、少なくとも内部支持層４と、織布層６として形成されている第一中間層と、外部被覆層７とを有しており、前記織布層６は経糸２と緯糸３を含んでいる。図５に示すように、当該ブランケットは、ブランケット胴８に、経糸２が当該ブランケット胴８の軸方向Ａに延伸するとともに緯糸３が当該ブランケット胴８の周方向に延伸するように固定されている。
【００２５】
上記の本発明に係るブランケット１を製造するために、図８に示されるブランケット用ウェブ状材料１２から、ブランケット１として想定されたブランケット切断部分１ａが、前記ブランケット用ウェブ状材料１２の横断方向１５よりも、前記ブランケット用ウェブ状材料１２の軸方向１４において、前記ブランケット切断部分１ａの伸展がより大きくなるように取り出される。それに対して、ブランケット切断部分１１ａは、従来技術によるブランケット１１になる。すなわち、切断部分１１ａはブランケット１１のための、従来続けられている製造方法を示している。
【００２６】
前記ブランケット用ウェブ状材料１２の切断部分１３は、図１の表示に対応しており、当該表示は相応の断面を有する当該切断部分を拡大して示している。図１では、経糸２が前記ブランケット用ウェブ状材料１２の長手方向１４に延伸するとともに緯糸３が当該ウェブ状材料１２の横断方向１５に延伸する様子が明らかに認められる。
【符号の説明】
【００２７】
１  ブランケット
１ａ  ブランケット切断部分
２  経糸
３  緯糸
４  支持層
５  中間層
６  織布層
７  被覆層
８  ブランケット胴
９  印刷プレート
１０  印刷紙面
１１  ブランケット
１１ａ  ブランケット切断部分
１２  ブランケット用ウェブ状材料
１３  切断部分
１４  長手方向
１５  横断方向
１６  版胴
Ａ  軸方向
【図１】
2012512060.tif 000003
【図２】
2012512060.tif 000004
【図３】
2012512060.tif 000005
【図４】
2012512060.tif 000006
【図５】
2012512060.tif 000007
【図６】
2012512060.tif 000008
【図７】
2012512060.tif 000009
【図８】
2012512060.tif 000010
【国際調査報告】
2012512060.tif 000011
2012512060.tif 000012
2012512060.tif 000013
2012512060.tif 000014
2012512060.tif 000015
2012512060.tif 000016
2012512060.tif 000017
2012512060.tif 000018
2012512060.tif 000019
2012512060.tif 000020